(57)【要約】【課題】空気調和機の表示装置において、就寝前など真っ暗な中で表示装置が明る過ぎてまぶしいため、日常生活の妨げになるという課題があった。【解決手段】通常は表示装置５４の表示を消灯しておき、リモコン５１あるいは運転スイッチ５２で機器が操作された時のみに表示装置５４の表示を一定時間行い、その後再び消灯することで、周囲の明るさを検出するためのコストをかけることなく、使用時のフィーリングを改善することができる。【選択図】図１
2006162125.tif 000002
【特許請求の範囲】
【請求項１】
機器の停止中にリモコン等操作手段からの運転開始信号受付時、あるいは機器の運転中にリモコン等操作手段からの設定の変更信号受付時に、室内温湿度や外気温度など機器の動作状態を外部に所定の時間の間表示し、その後次に操作があるまで消灯することを特徴とする空気調和機の表示装置。
【請求項２】
機器の動作状態を、現在時刻による適切な明るさで外部に表示する請求項１に記載の空気調和機の表示装置。
【発明の詳細な説明】
【技術分野】
【０００１】
本発明は、空気調和機の動作状態を外部に表示する表示装置に関するものである。
【背景技術】
【０００２】
従来のこの種の表示装置を例えば図２を用いて説明すると、空気調和機の運転時，室内側本体に取り付けてある光度検出装置１１が部屋の明るさに応じて電気信号を出力し，この電気信号は比較器１３で基準値と比較判定され，高Ｈと低Ｌの２制御信号が出力される。Ｌ信号時は，ＬＳＩ１４内蔵の演算回路により記憶回路の第２の出力モ−ドにオン信号が出力され，出力装置１５内蔵のトランジスタの出力パルス幅が大きくなり，表示灯１６の発光ダイオ−ドの光度が増す。逆に比較器１３からの制御信号がＨ信号の時，ＬＳＩ１４内蔵の演算回路により記憶回路の第１の出力モ−ドにオン信号が出力され，出力装置１５内蔵のトランジスタの出力パルス幅が小さくなり表示灯１６の発光ダイオ−ドの光度が減少する。以上のように周囲の明るさを検出し、表示の明るさを制御している物があった（特許文献１参照）。
【０００３】
また、従来のこの種の表示装置を図３を用いて説明する。車載電子機器を複合的に制御するためのマイコン２６に時計回路２５を接続する。車載電子機器の動作指令や動作確認等を行うための表示器２８を設ける。マイコン２６と表示器２８の間に実質的な表示輝度を増減させための制御回路２７を介在させる。制御回路２７は、時計回路２５から出力される時刻データに対応して多段階または連続的に制御して表示器２８の表示輝度を制御する。夕刻頃にライトのオン／オフするかという微妙な時間帯の場合に、昼用の表示輝度では明るくて眩しすぎて表示内容が確認し難く、夜用の表示輝度では暗くて表示内容が見えにくい状態になってしまわないように表示器２８の表示の輝度が変化する。以上のように時間帯により表示の明るさを制御している物があった（特許文献２参照）。
【０００４】
また従来のこの種の表示装置を図４を用いて説明する。運転及び各種設定指示を行う操作部３４と、室温等の各種情報を表示する表示部３３と、前記表示部の表示の明るさを切り替える表示明るさ切替手段３２と、機器の運転状態を判断する運転状態判断部３１とを備え、前記表示明るさ切替手段３２は前記運転状態判断部３１からの信号に応じて表示部３３の明るさを切り替えるようにしている。以上のように、操作したときに表示の明るさを変更する物があった（特許文献３参照）。
【特許文献１】特開昭６０−２５４２９６号公報
【特許文献２】特開２０００−２７６０９７号公報
【特許文献３】特開２００１−４１５８１号公報
【発明の開示】
【発明が解決しようとする課題】
【０００５】
しかしながら前記従来の構成では、特許文献１の物では、周囲の明るさの検出を行う必要がありコストがかかるという課題があった。
【０００６】
また、空気調和器はその用途上就寝前など周囲が真っ暗な時に使用される可能性があり、特許文献２または３の方法で単に表示の明るさを暗くするだけでは不都合な場合があるという課題があった。
【０００７】
本発明は上記従来の課題を解決するもので、より低コストで機器の動作状態を日常生活の妨げにならなく、かつ見やすい明るさ（以下適切な明るさ）で表示することが可能な表示装置の提供を目的とするものである。
【課題を解決するための手段】
【０００８】
上記課題を解決するため、本発明においては運転開始時や運転モード変更時にのみ動作状態の表示を行うものであり、さらには運転開始や運転モード変更などの要求のあった時だけ表示を行うものである。
【発明の効果】
【０００９】
上記説明より明らかなように本発明は、機器の操作時にのみ動作状態の表示を行うことで、電気代の削減、表示装置の長寿命化を実現できる。また、周囲の明るさの検出を行うことなく適切な明るさでの表示を実現できる。
【発明を実施するための最良の形態】
【００１０】
第１の発明は、リモコン等からの機器の操作信号をきっかけとして、一定時間のみ動作状態の表示を行うことで、安価に日常生活の妨げになることが無く、不要な表示によるクレームを防止することができる表示装置を実現することができる。
【００１１】
第２の発明は、機器の操作時にのみ動作状態の表示を時刻による適切な明るさで行うことで、周囲の明るさの検出を行うことなく表示装置を制御でき、安価にその時刻に対応した適切な明るさの表示装置を実現することができる。
【００１２】
以下、本発明の実施の形態について図面を参照しながら説明する。なお、本実施の形態によって本発明が限定されるものではない。
【００１３】
（実施の形態１）
図１は本発明の実施の形態１における空気調和機のブロック図である。図１において、空気調和機の運転・停止・機能を遠隔操作するためのリモコン５１、空気調和機の本体に搭載され運転の開始、停止をコントロールできる運転スイッチ５２、リモコン５１あるいは運転スイッチ５２の電気信号を受け空気調和機の制御を行う制御部５３、制御部５３により運転／停止や空気清浄器の運転／停止や異常をＬＥＤにて表示する表示装置５４を示す。機器の停止時には、リモコン５１からの運転信号、あるいは運転スイッチ５２からの運転信号、入力された時に表示装置５４に機器の動作モードを表示する。また、運転時には、リモコン５１からのモード変更信号、あるいは、室内の温度、湿度や外気温度を表示させるような信号が入力された時のみ表示装置５４に機器の動作モードの表示を一定の時間行う。一定時間とは操作者が表示を確認するのに充分かつ表示装置による消費電力が無視できる短時間で数分程度である。
【００１４】
（実施の形態２）
図１を用いて、本発明の実施の形態２における空気調和機の動作を説明する。制御部５３はリモコン５１からの時刻信号を受け現在の時刻を認識する。これ以外は実施の形態１と同様であるため説明は省略する。
【００１５】
制御部５３はリモコン５１からの時刻信号を元に、日中は明るく、また、深夜は暗めといったように適切な明るさを選択し、実施の形態１に記載のような機器の操作時に、その選択された明るさにて一定の時間だけ表示を行うものである。
【産業上の利用可能性】
【００１６】
本発明の表示装置は、常時明るさを必要としない表示装置を持つ機器の表示装置の用途にも適用できる。
【図面の簡単な説明】
【００１７】
【図１】本発明の実施の形態１における空気調和機のブロック図
【図２】従来の例１における空気調和機のブロック図
【図３】従来の例２における空気調和機のブロック図
【図４】従来の例３における空気調和機のブロック図
【符号の説明】
【００１８】
１１  光度検出装置
１３  比較器
１４  ＬＳＩ
１５  出力装置
１６  表示灯
２５  時計回路
２６  マイコン
２７  制御回路
２８  表示器
３１  運転状態判断部
３２  表示明るさ切替手段
３３  表示部
３４  操作部
５１  リモコン
５２  運転スイッチ
５３  制御部
５４  表示装置
【図１】
2006162125.tif 000003
【図２】
2006162125.tif 000004
【図３】
2006162125.tif 000005
【図４】
2006162125.tif 000006